(57)【特許請求の範囲】
【請求項１】
既設の建物に新たに手摺を設置する際に、入隅部を構成する一対の壁面に沿って手摺受け金物を支持する帯状下地板を取り付けるための、コーナー役物を用いた入隅部手摺下地構造であって、
前記入隅部を構成する一対の壁面は、前記入隅部の背面側に設けられた柱用角材に支持させて、一対の壁用面材の側縁部を入隅状に配置して固定することにより形成されており、
前記コーナー役物は、前記入隅部の角部両側の壁面に各々密着配置される一対の当接面部と、各当接面部の側端部から前記入隅部の内側に折れ曲がって前記帯状下地板の延設方向と対向して配置される一対の下地板接合面部と、両側の該下地板接合面部の間の部分において、前記柱用角材の対角方向と垂直又は略垂直に配置される固定具打込み面部とを含んで形成されており、
前記下地板接合面部には、前記当接面部との接合角部分を切リ欠いて、差込み接合溝が縦方向に延設して各々設けられており、
前記入隅部の所定の高さ位置において、前記一対の当接面部を前記角部両側の壁面に各々密着配置した状態で、前記固定具打込み面部から前記柱用角材に向けて固定具を打ち込むことで、前記コーナー役物を前記柱用角材に支持させて前記入隅部に固定すると共に、前記一対の壁面に沿って取り付けられる前記帯状下地板の端部を、前記下地板接合面部の前記差込み接合溝に各々差込んで接合することによって構成される入隅部手摺下地構造。
【請求項２】
前記コーナー役物は、前記一対の当接面部と、前記一対の下地板接合面部と、前記固定具打込み面部とからなる、略５角形の断面形状を備えている請求項１記載の入隅部手摺下地構造。
【請求項３】
前記差込み接合溝は、接合される前記帯状下地板の端部の縦幅よりも長い縦方向の長さで形成されている請求項１又は２に記載の入隅部手摺下地構造。
【請求項４】
前記固定具打込み面部には、固定具打込み溝が切り欠き形成されており、該固定具打込み溝から前記柱用角材に向けて固定具を打ち込んだ後に、該固定具打込み溝に埋木部材が取り付けられることで、前記固定具の頭部が覆い隠されている請求項１〜３のいずれか１項に記載の入隅部手摺下地構造。
【請求項５】
前記コーナー役物には、前記固定具打込み面部から前記柱用角材に向けて形成された固定具リード孔が設けられている請求項１〜４のいずれか１項に記載の入隅部手摺下地構造。
【請求項６】
前記入隅部は、階段の入隅部であり、前記一対の壁面のうちの少なくとも一方の壁面に沿って取り付けられる前記帯状下地板は、斜めに延設して取り付けられている請求項１〜５のいずれか１項に記載の入隅部手摺下地構造。
【発明の詳細な説明】
【技術分野】
【０００１】
本発明は、入隅部手摺下地構造に関し、特に既設の建物に新たに手摺を設置する際に、入隅部の壁面に手摺受け金物を支持する帯状下地板を取り付けるための入隅部手摺下地構造に関する。
【背景技術】
【０００２】
例えば、高齢者やその他の居住者の屋内における歩行の手助けとなるように、壁面に手摺りを取り付けた住宅等の建物が種々開発されている（例えば、特許文献１参照）。また、近年の高齢化に伴って、既設の建物のリフォーム時や造改築時等に、屋内の壁面に新たに手摺を取り付けることも頻繁に行われている（例えば、特許文献２参照）。
【０００３】
壁面に手摺りを取り付ける場合、当該壁面を構成する壁用面材の背面側に配置された柱や間柱等の壁用構造材に支持させて、所定のピッチで手摺受け金物を壁面に取り付け、この手摺受け金物を介して手摺を設置する方法が一般的に知られており、柱や間柱等の壁用構造材に手摺受け金物を支持させることにより、手摺りを壁面に沿って強固に且つ安定した状態で取り付けることが可能になる。
【０００４】
また、柱や間柱等の壁用面材の背面側の壁用構造材に支持させて手摺受け金物を取り付ける場合、例えば建物の新築時には、手摺受け金物が取り付けられる位置やピッチを鑑みて、壁用構造材を予め設計して配置しておくことができるため、手摺受け金物を容易に取り付けてゆくことが可能である。一方、既設の建物のリフォーム時や造改築時等に、屋内の壁面に新たに手摺を設置する際には、壁用面材の背面側の既存の壁用構造材の位置を判別し難いため、手摺受け金物を各々取り付けてゆく作業に多くの手間を要するとになる。また既存の壁用構造材は、手摺受け金物が取り付けられる所望の位置やピッチで設けられていることが少ないため、取り付け位置の自由度が制約されることになる。
【０００５】
このようなことから、既設の建物の屋内の壁面に新たに手摺を設置する場合、当該壁面における手摺が取り付けられる高さ位置に沿って、手摺受け金物を支持させるための帯状下地板を、壁用面材の背面側の壁用構造材に支持させて予め壁面に固定しておくことにより、当該帯状下地板の任意の位置に手摺受け金物を取り付けることを可能にして、手摺受け金物の設置作業を容易にしたり、手摺受け金物の取り付け位置の自由度が向上させる工夫がなされている。
【先行技術文献】
【特許文献】
【０００６】
【特許文献１】特開２００５−２９０８４２号公報
【特許文献２】特開平１１−７１８７８号公報
【発明の概要】
【発明が解決しようとする課題】
【０００７】
既設の建物の屋内の壁面に帯状下地板を固定する作業は、例えば壁面を木槌で叩いて柱や間柱等の壁用構造材の位置を確認すると共に、確認された壁用構造材に向けて帯状下地板の表面からビスや釘等の固定具を打ち込むことによって行われるが、例えば一対の壁面が直角又は略直角に交差する入隅部においては、固定具を打ち込んで帯状下地板の端部を支持させるべき壁用構造材が、壁用面材の背面側の適当な位置に配置されていないことが多いことから、帯状下地板の端部を強固に且つ安定した状態で壁面に固定することが困難である。
【０００８】
すなわち、木造住宅等の既設の建物では、入隅部を構成する一対の壁面は、図８に示すように、入隅部５０の角部の背面側に設けられた柱用角材５１に支持させて、一対の壁用面材５２ａ，５２ｂの側縁部を入隅状に配置して固定することにより形成されており、入隅部の角部内側の壁面５３ａ，５３ｂの裏側には、ビスや釘等の固定具を打ち込むための柱用角材５１の打込み面が存在しないため、帯状下地板の端部を安定した状態で支持させることが困難である。
【０００９】
また、特に入隅部が階段の入隅部であって、当該入隅部を構成する一対の壁面のうちの少なくとも一方の壁面に沿って取り付けられる手摺が、斜めに延設して取り付けられるものとなっている場合には、入隅部の角部において、各壁面に沿った帯状下地板の端部同士の接続部分に段差が生じることになって、見た目の外観を損いやすくなる。
【００１０】
本発明は、既設の建物に新たに手摺を設置する際に、入隅部を構成する一対の壁面に沿って、手摺受け金物を支持する帯状下地板を、安定した状態で容易に取り付けることのできる入隅部手摺下地構造を提供することを目的とする。
【００１１】
また、本発明は、階段の入隅部に対しても、見た目の外観を損うことなく、帯状下地板を安定した状態で容易に取り付けることのできる入隅部手摺下地構造を提供することを目的とする。
【課題を解決するための手段】
【００１２】
本発明は、既設の建物に新たに手摺を設置する際に、入隅部を構成する一対の壁面に沿って手摺受け金物を支持する帯状下地板を取り付けるための、コーナー役物を用いた入隅部手摺下地構造であって、前記入隅部を構成する一対の壁面は、前記入隅部の背面側に設けられた柱用角材に支持させて、一対の壁用面材の側縁部を入隅状に配置して固定することにより形成されており、前記コーナー役物は、前記入隅部の角部両側の壁面に各々密着配置される一対の当接面部と、各当接面部の側端部から前記入隅部の内側に折れ曲がって前記帯状下地板の延設方向と対向して配置される一対の下地板接合面部と、両側の該下地板接合面部の間の部分において、前記柱用角材の対角方向と垂直又は略垂直に配置される固定具打込み面部とを含んで形成されており、前記下地板接合面部には、前記当接面部との接合角部分を切リ欠いて、差込み接合溝が縦方向に延設して各々設けられており、前記入隅部の所定の高さ位置において、前記一対の当接面部を前記角部両側の壁面に各々密着配置した状態で、前記固定具打込み面部から前記柱用角材に向けて固定具を打ち込むことで、前記コーナー役物を前記柱用角材に支持させて前記入隅部に固定すると共に、前記一対の壁面に沿って取り付けられる前記帯状下地板の端部を、前記下地板接合面部の前記差込み接合溝に各々差込んで接合することによって構成される入隅部手摺下地構造を提供することにより、上記目的を達成したものである。
【００１３】
そして、本発明の入隅部手摺下地構造は、前記コーナー役物が、前記一対の当接面部と、前記一対の下地板接合面部と、前記固定具打込み面部とからなる、略５角形の断面形状を備えていることが好ましい。
【００１４】
また、本発明の入隅部手摺下地構造は、前記差込み接合溝が、接合される前記帯状下地板の端部の縦幅よりも長い縦方向の長さで形成されていることが好ましい。
【００１５】
さらに、本発明の入隅部手摺下地構造は、前記固定具打込み面部には、固定具打込み溝が切り欠き形成されており、該固定具打込み溝から前記柱用角材に向けて固定具を打ち込んだ後に、該固定具打込み溝に埋木部材が取り付けられることで、前記固定具の頭部が覆い隠されていることが好ましい。
【００１６】
さらにまた、本発明の入隅部手摺下地構造は、前記コーナー役物には、前記固定具打込み面部から前記柱用角材に向けて形成された固定具リード孔が設けられていることが好ましい。
【００１７】
また、本発明の入隅部手摺下地構造は、前記入隅部が、階段の入隅部であり、前記一対の壁面のうちの少なくとも一方の壁面に沿って取り付けられる前記帯状下地板は、斜めに延設して取り付けられていることが好ましい。
【図面の簡単な説明】
【００１８】
【図１】本発明の好ましい一実施形態に係る入隅部手摺下地構造を用いて設置された手摺の要部斜視図である。
【図２】本発明の好ましい一実施形態に係る入隅部手摺下地構造を説明する要部斜視図である。
【図３】コーナー役物の斜視図である。
【図４】（ａ）〜（ｂ）は、コーナー役物の上面図及び正面図である。
【図５】帯状下地板の取り付け状況を説明する、（ａ）は斜視図、（ｂ）は断面図である。
【図６】（ａ）、（ｂ）は、本発明の好ましい一実施形態に係る入隅部手摺下地構造を説明する上方から見た断面図である。
【図７】手摺の取り付け状況を説明する断面図である。
【図８】本発明が適用される入隅部の構成を説明する上方から見た断面図である。
【発明を実施するための形態】
【００１９】
本発明の好ましい一実施形態に係る入隅部手摺下地構造１０は、図１に示すように、例えば既設の建物として例えば木造の住宅建築物において、交差して配置される一対の壁面１１ａ，１１ｂによって構成される入隅部１１として、例えば折曲り階段の入隅部１１に手摺１２を新たに設ける際に、壁面１１ａ，１１ｂに沿った所定の高さ位置に、手摺１２を支持する手摺受け金物１３を、帯状下地板１４ａ，１４ｂを用いることにより所定のピッチで容易に取り付けて行くことを可能にするための下地構造として採用されたものである。
【００２０】
すなわち、既設の住宅建築物等の建物では、図２に示すように、一対の壁面１１ａ，１１ｂによって構成される入隅部１１は、これの背面側に設けられた柱用角材１５に支持させて、一対の壁用面材１６ａ，１６ｂの側縁部を入隅状に配置して固定することにより形成されており、入隅部１１の角部内側の壁面１１ａ，１１ｂの裏側には、帯状下地板１４ａ，１４ｂからビスや釘等の固定具を打ち込むための柱用角材１５の打込み面が存在しないため、帯状下地板１４ａ，１４ｂの端部を安定した状態で支持させることができない状態となっている。本実施形態では、このような既設の建物の入隅部１１においても、帯状下地板１４ａ，１４ｂの端部を安定した状態で支持させて容易に取り付けること可能にする機能を備えると共に、折曲り階段の入隅部１１であっても、各壁面１１ａ，１１ｂに沿って取り付けられる帯状下地板１４ａ，１４ｂの端部を、見た目の外観を損うことなく良好な納まりで連続させるようにする機能を備えている。
【００２１】
なお、本実施形態では、入隅部手摺下地構造１０が適用される既設の建物の入隅部１１は、一対の壁用面材１６ａ，１６ｂのうち一方の壁用面材１６ａの側縁部を延設させて、この延設部分を柱用角材１５の側面に接合すると共に、この延設部分の表面側に角部裏受け材１７を添設し、他方の壁用面材１６ｂの側縁部は、裏面を角部裏受け材１７に沿わせるようにして、一方の壁用面材１６ａの表面に直角又は略直角に突き合わせて入隅状に接合することで、一対の壁面１１ａ，１１ｂによる直角又は略直角な角部１１ｃを有する入隅部１１として形成されている。
【００２２】
そして、本実施形態の入隅部手摺下地構造１０は、図１及び図２に示すように、既設の建物に新たに手摺１２を設置する際に、入隅部１１を構成する一対の壁面１１ａ，１１ｂに沿って手摺受け金物１３を支持する帯状下地板１４ａ，１４ｂを取り付けるための、コーナー役物１８を用いた手摺下地構造であって、入隅部１１を構成する一対の壁面１１ａ，１１ｂは、上述のように、入隅部１１の背面側に設けられた柱用角材１５に支持させて、一対の壁用面材１６ａ，１６ｂの側縁部を入隅状に配置して固定することにより形成されている。
【００２３】
また、コーナー役物１８は、図３及び図４（ａ）〜（ｃ）にも示すように、入隅部１１の角部１１ｃの両側の壁面１１ａ，１１ｂに各々密着配置される一対の当接面部１９と、各当接面部１９の側端部から入隅部１１の内側に折れ曲がって帯状下地板１４ａ，１４ｂの延設方向Ｘ（図１参照）と対向して配置される一対の下地板接合面部２０と、両側の下地板接合面部２０の間の部分において、柱用角材１５の対角方向Ｙ（図２参照）と垂直又は略垂直に配置される固定具打込み面部２１とを含んで形成されており、下地板接合面部２０には、当接面部１９との接合角部分を切リ欠いて、差込み接合溝２２が縦方向に延設して各々設けられている。
【００２４】
さらに、本実施形態の入隅部手摺下地構造１０は、入隅部１１の所定の高さ位置において、一対の当接面部１９を入隅部１１の角部１１ｃの両側の壁面１１ａ，１１ｂに各々密着配置した状態で、固定具打込み面部２１から柱用角材１５に向けて固定ビス等の固定具２３を打ち込むことで、コーナー役物１８を柱用角材１５に支持させて入隅部１１に固定すると共に、一対の壁面１１ａ，１１ｂに沿って取り付けられる帯状下地板１４ａ，１４ｂの端部を、下地板接合面部２０の差込み接合溝２２に各々差込んで接合することによって構成されるようになっている。
【００２５】
さらにまた、本実施形態では、入隅部１１は、階段の入隅部であり、一対の壁面１１ａ，１１ｂのうちの一方の壁面１１ａに沿って取り付けられる帯状下地板１４ａは、当該壁面１１ａに沿って設置される手摺１２が勾配を有するように設けられることから、斜めに延設して取り付けられている（図１参照）。
【００２６】
本実施形態では、入隅部１１の一対の壁面１１ａ，１１ｂを形成する壁用面材１６ａ，１６ｂは、例えば１２ｍｍ程度の厚さの石膏ボードからなり、例えば固定ビスや固定釘等の固定具を用いて、柱１５や間柱３０（図４（ｂ）参照）等の壁用構造材に支持された状態で取り付けられる。壁用面材１６ａ，１６ｂの壁面１１ａ，１１ｂとなる表面には、適宜化粧材が施されている。また、壁用面材１６ａ，１６ｂの側縁部は、上述のように、柱用角材１５に支持させて入隅状に取り付けられることで、直角又は略直角に交わる入隅部１１を形成する。柱用角材１５は、例えば一辺が９０〜１２０ｍｍ程度の正方形の角形断面を有する木製の角材であって、建物の骨組構造を構成している。
【００２７】
本実施形態では、コーナー役物１８は、例えば１５０〜１７０ｍｍ程度の高さを有する木製部材であって、一対の当接面部１９と、一対の下地板接合面部２０と、固定具打込み面部２１とからなる、略５角形の断面形状を備えている。すなわち、コーナー役物１８は、例えば一辺が６０〜８０ｍｍ程度の正方形の角形断面を有する木製の角材に、切断加工や切欠き加工等を施すことによって、所定の形状に形成されたものであり、一対の当接面部１９は、角形断面の１つ角部を挟んだ両側の辺部に沿った部分によって構成されることで、直角な角部を介して連続する面となっている。
【００２８】
また、コーナー役物１８は、例えば正方形の角形断面を有する上述の角材における、一対の当接面部１９の間の角部と対角位置にある角部側の部分を、これらの角部を結ぶ対角方向と垂直な面で切断除去することにより、各当接面部１９の側端部から入隅部１１の内側に折れ曲がって配置される一対の下地板接合面部２０と、両側の下地板接合面部２０の間の部分の固定具打込み面部２１とを含む、上記対角方向に対して線対称な略５角形の断面形状を備えることになる。
【００２９】
コーナー役物１８が上述のような略５角形の断面形状を備えていることにより、一対の当接面部１９を入隅部１１の角部１１ｃの両側の壁面１１ａ，１１ｂに各々密着配置してコーナー役物１８を入隅部１１の角部１１ｃに取り付けた際に、下地板接合面部２０は、壁面１１ａ，１１ｂから入隅部１１の内側に突出して、壁面１１ａ，１１ｂに沿って横方向又は斜め方向に延設する帯状下地板１４ａ，１４ｂの延設方向Ｘに対して、垂直又は斜めに対向して配置されることになる。また固定具打込み面部２１は、柱用角材１５の対角方向Ｙと垂直又は略垂直な面に沿って配置されることになる。
【００３０】
さらに、本実施形態では、コーナー役物１８の下地板接合面部２０には、当接面部１９との接合角部分を切リ欠いて、差込み接合溝２２が縦方向に延設して各々形成されている。差込み接合溝２２は、一方の帯状下地板１４ｂの延設方向Ｘから見たコーナー役物１８の正面図及び上面図である図４（ａ）、柱用角材１５の対角方向Ｙから見たコーナー役物１８の正面図及び上面図である図４（ｂ）、及び他方の帯状下地板１４ａの延設方向Ｘから見たコーナー役物１８の正面図及び上面図である図４（ｃ）に示すように、下地板接合面部２０の上端部分を除いて、帯状下地板１４ａ，１４ｂの厚さと略同じ横幅で、且つ帯状下地板１４ａ，１４ｂの延設方向Ｘに例えば１０ｍｍ程度の深さで、コーナー役物１８の底面に至るように縦方向に延設して切り欠き形成されている。
【００３１】
ここで、本実施形態では、差込み接合溝２２は、当該差込み接合溝２２の長さやコーナー役物１８の高さを適宜調整することにより、接合される帯状下地板１４ａ，１４ｂの端部の縦幅よりも長い縦方向の長さを備えるように形成されている。差込み接合溝２２が帯状下地板１４ａ，１４ｂの端部の縦幅よりも長く形成されていることにより、入隅部１１の角部１１ｃにおいて、各壁面１１ａ，１１ｂに沿って取り付けられる帯状下地板１４ａ，１４ｂの端部の高さ位置が互いに一致せず、これらの間に高さ方向の位置ずれが生じる場合でも、これらの位置ずれを、差込み接合溝２２に帯状下地板１４ａ，１４ｂの端部を呑み込ませることで吸収して、一対の帯状下地板１４ａ，１４ｂが、コーナー役物１８を介して入隅部１１の角部１１ｃで連続するように容易に取り付けることが可能になる。なお、本実施形態では、差込み接合溝２２の上端角部分には、湾曲形状の面取り２２ａが施されている。
【００３２】
さらにまた、本実施形態では、コーナー役物１８の固定具打込み面部２１には、これの中央部分を縦方向に縦断して、固定具打込み溝２４が切り欠き形成されている。固定具打込み溝２４は、例えば例えば１２〜２０ｍｍ程度の幅及び７〜１２ｍｍ程度の深さで断面コの字形状に切り欠かれて形成されている。また、固定具打込み溝２４には、これの奥部底面から、柱用角材１５の対角方向Ｙに沿った方向となる上述の一対の当接面部１９の間の角部に向けて、固定具リード孔２５が上下方向に間隔をおいて３箇所に貫通形成されている。これによって各固定具リード孔２５は、コーナー役物１８が入隅部１１の角部１１ｃに取り付けられた際に、固定具打込み面部２１の固定具打込み溝２４から柱用角材１５の対角方向Ｙに向けて配設されることになる。
【００３３】
ここで、本実施形態では、固定具リード孔２５は、固定具打込み面部２１側の拡径部２５ａと、拡径部２５ａよりも一対の当接面部１９の間の角部側のリード部２５ｂとの、２段構造を備えており、固定ビス等の固定具２３を、リード部２５ｂに案内させつつ柱用角材１５まで対角方向Ｙに安定した状態でネジ込んだり打ち込んだりすることができるようになっていると共に、拡径部２５ａとの段部に固定具２３の頭部を定着させて、コーナー役物１８を柱用角材１５に強固に固定することができるようになっている。また、固定具リード孔２５を介して柱用角材１５に向けて固定具２３を打ち込んだ後に、固定具打込み溝２４に埋木部材２６（図２参照）を接着剤等を介して取り付けることにより、固定具２３の頭部及び固定具リード孔２５が覆い隠されることになる。
【００３４】
本実施形態では、帯状下地板１４ａ，１４ｂは、図２に示すように、例えば１６〜２０ｍｍ程度の厚さの横長帯板形状の木製部材であって、例えば１００〜１５０ｍｍ程度の縦幅を備えている。帯状下地板１４ａ，１４ｂの表面には、これの長手方向に延設して、固定具打込み溝２７が上下２段に形成されている。例えば図５（ａ），（ｂ）にも示すように、帯状下地板１４ａ，１４ｂの裏面に接着剤３１を塗布して壁面１１ａ，１１ｂの所定の位置に帯状下地板１４ａ，１４ｂを接着した後に、固定具打込み溝２７から壁面１１ａ，１１ｂの裏面側の柱や間柱３０（図４（ｂ）参照）等の壁用構造材に向けて、固定ビス等の固定具２８を打ち込むことより、帯状下地板１４ａ，１４ｂを壁面１１ａ，１１ｂに強固に固定することができる。
【００３５】
なお、帯状下地板１４ａ，１４ｂの固定具打込み溝２７から間柱３０等に向けて固定ビス等の固定具２８を打ち込んだ後に、固定具打込み溝２７に埋木部材２９を接着剤等を介して取り付けることにより、固定具２８の頭部を覆い隠すことができる。帯状下地板１４ａ，１４ｂの表面側の上下の角部には、湾曲形状の面取り３２が施されている。
【００３６】
本実施形態の入隅部手摺下地構造１０を形成するには、図６（ａ）に示すように、まず、コーナー役物１８を、固定具打込み面部２１から柱用角材１５に向けて固定ビス等の固定具２３を打ち込むことによって、入隅部１１の角部１１ｃに固定する。コーナー役物１８の固定作業は、柱用角材１５への打ち込み方向が柱用角材１５の角部に向けた対角方向Ｙであって、打ち込み面に対するものでなくても、３箇所の固定具リード孔２５に固定具２３を案内させることにより、固定具打込み面部２１から柱用角材１５に向けて精度良く容易に行うことができる。これによって、コーナー役物１８は、一対の当接面部１９を入隅部１１の角部１１ｃの両側の壁面１１ａ，１１ｂに各々密着配置させた状態で、柱用角材１５に支持されて強固に一体固定されることになる。
【００３７】
しかる後に、図６（ｂ）に示すように、各壁面１１ａ，１１ｂに沿って取り付けられる帯状下地板１４ａ，１４ｂを、これらの端部をコーナー役物１８の一対の当接面部１９の差込み接合溝２２に各々差し込み、接着剤等を適宜用いて接合した状態で、一対の壁面１１ａ，１１ｂに各々接着すると共に、間柱３０等に向けて固定ビス等の固定具２８を打ち込むことより壁面１１ａ，１１ｂに固定する。また、コーナー役物１８の固定具打込み面部２１の固定具打込み溝２４に埋木部材２６を取り付けると共に、帯状下地板１４ａ，１４ｂの固定具打込み溝２７に埋木部材２９を取り付ける。
【００３８】
このようにして、入隅部手摺下地構造１０が形成されたら、図１及び図７に示すように、壁面１１ａ，１１ｂに固定された帯状下地板１４ａ，１４ｂに支持させて、これの長手方向の所望の位置に、所定のピッチで手摺受け金物１３を複数取り付けると共に、帯状下地板１４ａ，１４ｂに取り付けたこれらの複数の手摺受け金物１３に支持させて、手摺１２が、所望の高さに配設されて強固に且つ安定した状態で設置されることになる。
【００３９】
そして、上述の構成を有する本実施形態の入隅部手摺下地構造１０によれば、既設の建物に新たに手摺１２を設置する際に、入隅部１１を構成する一対の壁面１１ａ，１１ｂに沿って、手摺受け金物１３を支持する帯状下地板１４ａ，１４ｂを、安定した状態で容易に取り付けることができる。
【００４０】
すなわち、本実施形態によれば、入隅部手摺下地構造１０は、入隅部１１の所定の高さ位置において、一対の当接面部１９を入隅部１１の角部１１ｃの両側の壁面１１ａ，１１ｂに各々密着配置した状態で、固定具打込み面部２１から柱用角材１５に向けて固定ビス等の固定具２３を打ち込むことで、コーナー役物１８を柱用角材１５に支持させて入隅部１１に固定すると共に、一対の壁面１１ａ，１１ｂに沿って取り付けられる帯状下地板１４ａ，１４ｂの端部を、下地板接合面部２０の差込み接合溝２２に各々差込んで接合することによって構成されるので、柱用角材１５に強固に接合固定されたコーナー役物１８を介して、帯状下地板１４ａ，１４ｂの入隅部１１における端部を、柱用角材１５によって強固に支持させることが可能になり、これによって手摺受け金物１３を支持する帯状下地板１４ａ，１４ｂを、入隅部１１に安定した状態で容易に取り付けることが可能になる。
【００４１】
また、本実施形態によれば、一対の帯状下地板１４ａ，１４ｂの端部を、コーナー役物１８の一対の下地板接合面部２０の差込み接合溝２２に各々差込んで接合するので、コーナー役物１８が介在することにより、帯状下地板１４ａ，１４ｂの端部同士の接続部分に段差が生じていてもこのような段差を吸収した状態で、見た目の外観を損うことなく帯状下地板１４ａ，１４ｂの端部同士を接合することが可能になる。特に、本実施形態では、差込み接合溝２２は、接合される帯状下地板１４ａ，１４ｂの端部の縦幅よりも長い縦方向の長さで形成されているので、入隅部１１が階段の入隅部であって、当該入隅部１１を構成する少なくとも一方の壁面１１ａに沿って取り付けられる手摺１２が、斜めに延設して取り付けられるものであっても、帯状下地板１４ａ，１４ｂの端部同士の接続部分に生じる段差を効果的に吸収して、見た目の外観を効果的に向上させることが可能になる。
【００４２】
なお、本発明は上記実施形態に限定されることなく種々の変更が可能である。例えば、本発明の入隅部手摺下地構造は、階段の入隅部以外の入隅部として、入隅部を構成する一対の壁面が、背面側に設けられた柱用角材に支持させて、一対の壁用面材の側縁部を入隅状に配置して固定することにより形成されている、その他の種々の入隅部に適用して用いることができる。
【符号の説明】
【００４３】
１０  入隅部手摺下地構造
１１  入隅部
１１ａ，１１ｂ  壁面
１２  手摺
１３  手摺受け金物
１４ａ，１４ｂ  帯状下地板
１５  柱用角材
１６ａ，１６ｂ  壁用面材
１８  コーナー役物
１９  当接面部
２０  下地板接合面部
２１  固定具打込み面部
２２  差込み接合溝
２３，２８  固定具
２４，２７  固定具打込み溝
２５  固定具リード孔
２６，２９  埋木部材
３０  間柱
Ｘ    帯状下地板の延設方向
Ｙ    柱用角材の対角方向
【図１】
0005570932.tif 000002
【図２】
0005570932.tif 000003
【図３】
0005570932.tif 000004
【図４】
0005570932.tif 000005
【図５】
0005570932.tif 000006
【図６】
0005570932.tif 000007
【図７】
0005570932.tif 000008
【図８】
0005570932.tif 000009